(57)【要約】【課題】施工性に優れ、また竣工後の取り外しや取り付けが容易なアンカー部材の提供【解決手段】アンカー部材１は、ゴム製の筒状弾性体２と、筒状弾性体２の内部に収容した硬球体３と、前記筒状弾性体２の上下端面にそれぞれ取り付けた上下の硬質板４、５を備えている。上下の硬質板４、５の片側の第１ボルト締結部１４には両側のボルト締結部１４、１５を結ぶ直線Ｌに沿って切欠き１６を形成しており、反対側の第２ボルト締結部１５には両側のボルト締結部１４、１５を結ぶ直線Ｌに直交する方向に沿って切欠き１７を形成している。このアンカー部材１は、切欠き１６に沿って第１ボルト締結部１４にボルト１２を装着し、アンカー部材１を回動させて切欠き１７に沿ってボルト１３を反対側の第２ボルト締結部１５に装着する。【選択図】　　　　　　図３
2004100300.tif 000002
【特許請求の範囲】
【請求項１】
筒状弾性体と、前記筒状弾性体に収容した硬球体と、前記筒状弾性体の上下端面にそれぞれ取り付けた上下の硬質板と、前記硬球体を筒状弾性体の内部の中央位置に位置決めする位置決め手段とを備え、構造物の下部構造と上部構造との間に挟んで装着し、前記上側の硬質板に掛かる荷重を硬球体に支持させるアンカー部材において、
前記上下の硬質板が筒状弾性体を取り付けた中央部を挟んだ両側にそれぞれボルト締結部を備えており、片側の第１ボルト締結部が両側のボルト締結部を結ぶ直線に沿ってボルトを装着・離脱可能なボルト装着用の切欠きを有し、かつ、反対側の第２ボルト締結部が前記直線に略直交する方向に沿ってボルトを装着・離脱可能なボルト装着用の切欠きを有していることを特徴とするアンカー部材。
【請求項２】
前記第２ボルト締結部の切欠きを、第１ボルト締結部の所定のボルト締結位置を中心とし、所定のボルトピッチを半径とする円弧に添って形成したことを特徴とする請求項１に記載のアンカー部材。
【発明の詳細な説明】
【０００１】
【発明の属する技術分野】
本発明は、構造物の上部構造と下部構造との間に装着され、下部構造の上に上部構造を固定するアンカー部材に関するものであって、特に、施工性が良く、また、竣工後の取り外し、取り付けが容易に行えるものに関するものである。
【０００２】
【従来の技術】
従来、基礎１０１（下部構造）の上に建築物の土台１０３（上部構造）を固定する場合は、例えば、図８に示すように、Ｌ字状のアンカーボルト１０２の下部を基礎コンクリート１０１に埋設し、アンカーボルト１０２の上部を土台１０３に貫通させ、その土台１０３の上面に突出した部分をワッシャ１０４、ナット１０５で固定していた。しかし、単に土台１０３を基礎１０１の上に固定しただけでは、大型車の通行により生じる交通振動が、基礎コンクリート１０１から土台１０３にそのまま伝わる。
【０００３】
そのため、図９に示すように、土台１０３と基礎コンクリート１０１の間にゴム板１００を挟んで、交通震動を緩和するものがあった。しかし、アンカーボルト１０２は、基礎コンクリート１０１から土台１０３に貫通する剛性の芯として土台１０３を基礎コンクリート１０１にしっかりと連結しており、震動がアンカーボルト１０２を介して基礎コンクリート１０１から土台１０３にそのまま伝わるため、震動はさほど緩和されず、十分な免震効果は得られなかった。
【０００４】
なお、このようなゴム板１００は、住宅の基礎部の通気用の基礎パッキン材としての機能を備えている。すなわち、ゴム板１００を、基礎コンクリート１０１と住宅の土台１０３との間に所定の間隔を開けて複数配設することにより、土台１０３と基礎コンクリート１０１との間に生じた隙間から基礎コンクリート１０１の内部の換気が行え、基礎コンクリート１０１内の空気の流れが良くなる。また、基礎コンクリート１０１と土台１０３との縁を切ることにより、基礎コンクリート１０１が吸った水分を土台１０３に伝えないという作用がある。
【０００５】
この種の基礎パッキン材の一般的な技術水準を示す公知文献としては、下記の特許文献１が知られている。
【０００６】
【特許文献１】特開平１０−２５８３２号公報
【０００７】
【発明が解決しようとする課題】
本発明者は、地震やダンプカーなどの大型の自動車による振動や鉄道車両の通行に伴う振動を吸収する制振機能と、上記の基礎パッキン材の機能を兼ねたアンカー部材２０１として、図１０に示すように、硬球体２０３を筒状弾性体２０２の内部の中央に位置決めした状態で収容し、筒状弾性体２０２の上下端面にそれぞれ上下の硬質板２０４、２０５を取り付けたものを提案することを考えている（特願２００２−１３８９００号など）。なお、このアンカー部材２０１は、硬球体２０３を筒状弾性体２０２に内接させて硬球体２０３を筒状弾性体２０２の内部の中央に位置決めしている。
【０００８】
このアンカー部材２０１は、図１１に示すように、上下の硬質板２０４、２０５の両側にボルト締結用の穴２０６、２０７が形成してあり、基礎コンクリート２０８に埋設したアンカーボルト２０９に下側の硬質板２０５を締結し、そして、アンカー部材２０１の上側の硬質板２０４の上に住宅の土台２１０を設置し、アンカー部材２０１の上側の硬質板４と住宅の土台２１０をボルト２１１で締結して設置している。
【０００９】
このアンカー部材２０１は、住宅の土台２１０から受ける荷重を上側の硬質板２０４及び硬球体２０３で支持している。このアンカー部材２０１によれば、基礎コンクリート２０８に埋設したアンカーボルト２０９が住宅の土台２１０を貫通していないので、地震時に振動はアンカー部材２０１を介して住宅の土台２１０に伝わるようになる。地震時には、アンカー部材２０１は、図１２に示すように、硬球体２０３が住宅の土台２１０から受ける荷重を支持しながら、筒状弾性体２０２の弾性支承を受けて所定の振幅で滑りなく転がり、基礎コンクリート２０８に対する住宅の土台２１０の相対変位を許容している。これにより、住宅の土台２１０に伝わる揺れを緩和することができる。
【００１０】
また、このアンカー部材２０１は、筒状弾性体２０２の高さ方向の中央部を内径側に突出させて、その頂部２１２を硬球体３の赤道部分に接触させて硬球体２０３を筒状弾性体２０２の内部の中央に位置決めしている。これにより、せん断方向への変形量とせん断方向の反力との関係を予測することができ、制振性能を予測することができるようになっている。
【００１１】
このアンカー部材２０１は、住宅の基礎部の基礎パッキン材および制振装置を兼ねたアンカー部材であり、嵩張らず、安価で、高性能の振動吸収性能を備えているので、特に、一般住宅のアンカー部材として好適である。
【００１２】
しかし、このアンカー部材２０１は、特に、構造物を竣工した後で、アンカー部材２０１を取り外すのが困難であり、アンカー部材２０１の取り替え作業がかなり手間の掛かる作業になるという問題があった。
【００１３】
そこで、本発明は、施工性に優れ、また竣工後の取り外しや取り付けが容易なアンカー部材を提供することを目的としている。
【００１４】
【課題を解決するための手段】
本発明に係るアンカー部材は、筒状弾性体と、前記筒状弾性体に収容した硬球体と、前記筒状弾性体の上下端面にそれぞれ取り付けた上下の硬質板と、前記硬球体を筒状弾性体の内部の中央位置に位置決めする位置決め手段とを備え、構造物の下部構造と上部構造との間に挟んで装着し、前記上側の硬質板に掛かる荷重を硬球体に支持させるアンカー部材において、前記上下の硬質板が筒状弾性体を取り付けた中央部を挟んだ両側にそれぞれボルト締結部を備えており、片側の第１ボルト締結部が両側のボルト締結部を結ぶ直線に沿ってボルトを装着・離脱可能なボルト装着用の切欠きを有し、かつ、反対側の第２ボルト締結部が前記直線に略直交する方向に沿ってボルトを装着・離脱可能なボルト装着用の切欠きを有していることを特徴としている。このアンカー部材によれば、構造物の上部構造と下部構造に所定のボルトピッチでボルトが配設されている場合に、第１ボルト締結部の切欠きに沿って一方のボルトを装着し、その後に第２ボルト締結部の切欠きに沿って他方のボルトを装着することができる。これにより、施工が容易になり、また、竣工後の取り外しや取り付けが簡単に行える。
【００１５】
また、本発明に係るアンカー部材は、前記第２ボルト締結部の切欠きを、第１ボルト締結部の所定のボルト締結位置を中心とし、所定のボルトピッチを半径とする円弧に添って形成したことを特徴としている。このアンカー部材によれば、第２ボルト締結部の切欠きを第１ボルト締結部の所定のボルト締結位置を中心とし、所定のボルトピッチを半径とする円弧状に形成したので、ボルトの装着が容易になる。
【００１６】
【発明の実施の形態】
以下、本発明の一実施形態に係るアンカー部材を図面に基づいて説明する。
【００１７】
アンカー部材１は、図１、図２に示すように、ゴム製の筒状弾性体２と、筒状弾性体２の内部に収容した硬球体３と、前記筒状弾性体２の上下端面にそれぞれ取り付けた上下の硬質板４、５を備えている。図中の６は構造物の下部構造となる基礎コンクリートを示し、７は構造物の上部構造の土台を示している。
【００１８】
筒状弾性体２は、高減衰性の弾性材料からなる略円筒形状の部材である。図１に示すように、筒状弾性体２の上端８及び下端９の内径は、硬球体３の直径よりも大きく、かつ、筒状弾性体２の内周面の高さ方向の中央部は内径側に突出している。内径側に突出した筒状弾性体２の高さ方向中央部の頂部１０の内径は、硬球体３の直径と略同じである。筒状弾性体２の高さは、硬球体３の直径と同じか、施工時に圧縮されることを考慮して硬球体３の直径よりも少し高くするのが良い。また、筒状弾性体２の外周は、耐候性を有する被覆材１１で被覆している。
【００１９】
硬球体３は、所要の剛性を備えた球状体であり、例えば、鋼鉄製の鋼球を採用することができる。
【００２０】
上下の硬質板４、５は、図２に示すように、例えば、略ひし形の板状部材であり、中央部に筒状弾性体２を加硫接着している。上下の硬質板４、５の両側には、ボルト１２、１３を締結するボルト締結部１４、１５を設けている。片側の第１ボルト締結部１４には両側のボルト締結部１４、１５を結ぶ直線Ｌに沿って切欠き１６を形成しており、反対側の第２ボルト締結部１５には両側のボルト締結部１４、１５を結ぶ直線Ｌに直交する方向に沿って切欠き１７を形成している。このアンカー部材１では、反対側の第２ボルト締結部１５の切欠き１７は、第１ボルト締結部１４の所定のボルト締結位置（例えば、設計上のボルト締結位置Ｏ）を中心とし、所定のボルトピッチ（例えば、設計上のボルトピッチＰ）を半径とする円弧Ｃに沿って形成している。各ボルト締結部１４、１５の切欠き１６、１７の幅は、ボルト１２、１３の直径よりも少し大きくなっており、切欠き１６、１７に沿ってボルト１２、１３を装着・離脱させることができるようになっている。また、切欠き１６、１７は、施工時の誤差を許容できるように、設計上のボルト締結位置よりも深く形成してある。
【００２１】
下側の硬質板５の中央には、図１に示すように、硬球体３を入れる穴１８と、穴１８を封口する板状の栓部材１９を備えている。
【００２２】
このアンカー部材１は、例えば、以下の手順で製造することができる。まず上下の硬質板４、５に、筒状弾性体２を加硫接着したものに、下側の硬質板５の穴１８から硬球体３を筒状弾性体２の内部に入れる。次に、硬球体３は、内径側に突出した筒状弾性体２の高さ方向中央部の頂部１０に内接させた状態で筒状弾性体２の内部に収容することより、筒状弾性体２の内部の中央に位置決めする。次に、硬球体３を筒状弾性体２の内部の中央位置に位置決めした後、下側の硬質板５の中央の穴１８を栓部材１９で封口する。
【００２３】
このアンカー部材１を施工するときは、まず、図３に示すように、切欠き１６に沿って第１ボルト締結部１４にボルト１２を装着し、図中の２点鎖線で示すように、アンカー部材１を回動させて切欠き１７に沿ってボルト１３を反対側の第２ボルト締結部１５に装着する。そして、図１２示すように、ナット２０、２１でアンカー部材１を固定する。
【００２４】
このアンカー部材１は、常時は交通振動が下部構造から上部構造に伝達されるのを緩和し、また住宅の基礎部の基礎パッキン材として機能する。また、地震時においては、図４に示すように、硬球体３が構造物の上部構造７から受ける荷重を支持しながら、筒状弾性体２の弾性支承を受けて所定の振幅で滑りなく転がり、構造物の上部構造７に伝わる揺れを緩和することができる。このとき、上下の硬質板４、５と硬球体３には、構造物の上部構造７から受ける荷重が掛かっており、十分な摩擦力が働くので、硬球体３は滑ることなく転動する。
【００２５】
このアンカー部材１は、上下の硬質板４、５の両側のボルト締結部１４、１５に、それぞれ同様に切欠き１６、１７を形成しているので、竣工後にもアンカー部材１の取り外し、取り付けが簡単に行えることができる。
【００２６】
竣工後においてアンカー部材１を取り替えるときは、例えば、構造物の上部構造７をジャッキで支持してアンカー部材１に掛かっている荷重を除去する。そして、アンカー部材１を固定しているボルト１２、１３に締結してあるナット２０、２１を外して、第１ボルト締結部１４を中心に、アンカー部材１を回動させて、第２ボルト締結部１５の切欠き１７に沿って第２ボルト締結部１５をボルト１３から抜き、第１ボルト締結部１４の切欠き１６に沿って、アンカー部材１を引き抜き、第１ボルト締結部１４をボルト１２から抜く。これにより、アンカー部材１を取り外すことができる。また、新しいアンカー部材１を取り付けるときは、第１ボルト締結部１４に切欠き１６に沿って第１ボルト締結部１４をボルト１２に装着し、アンカー部材１を回動させて切欠き１７に沿って第２ボルト締結部１５をボルト１３に装着する。
【００２７】
このように、このアンカー部材１によれば、施工時の取り付けが簡単に行え、また、竣工後においてもアンカー部材１の取り付け取り外しが簡単に行えるので、アンカー部材１を取り外して点検したり、新しいものに取り替えたりする作業が簡単に行えるようになる。
【００２８】
以上、本発明の一実施形態に係るアンカー部材を説明したが、本発明のアンカー部材は上記に限定されるものではない。
【００２９】
例えば、硬球体３と硬質板４、５は、硬球体３の滑らかな転動を確保するため、載荷時に硬球体３と硬質板４、５がそれぞれ変形しないように同程度の硬度を有する材料（例えば、ロックウェル硬度で±５以内、望ましくは同一材料）で形成することが望ましい。なお、同程度の硬度であれば、一方を金属にし、他方をプラスチックにしてもよい。ただし、硬質板４、５側に大きな凹状変形が生じると、水平せん断変位−水平反力の履歴曲線に負勾配を生じ、不安定な応答性能を示すため、硬質板４、５の硬度は硬球体３の硬度よりも高いことが望ましい。また、両者の材質をＳ４５Ｃに焼入れ・焼鈍しの熱処理を加えてロックウェル硬度を３０以上にすることにより、載荷時においてほとんど変形が生じないものになる。
【００３０】
また、アンカー部材は、せん断方向への変形量とせん断方向の反力との関係を予測することができるように、硬球体を筒状弾性体の内部の中央に位置決めしているが、硬球体を筒状弾性体の内部の中央に位置決めする位置決め手段は上記に限定されない。位置決め手段の変形例を以下に示す。なお、同一の作用を奏する部材・部位には、同一の符号を付し、重複する説明を省略する。
【００３１】
第１変形例に係るアンカー部材３０は、図５（ａ）に示すように、筒状弾性体３１の内径が硬球体３の直径よりも大きくなっており、かつ、図５（ａ）（ｂ）に示すように、中央に形成した穴３２に硬球体３を装着し、外周端部３３を筒状弾性体３１の内周面に嵌めて装着したプレート状の弾性部材３４によって、硬球体３を筒状弾性体３１の内部の中央に位置決めしている。
【００３２】
第２変形例に係るアンカー部材４０は、図６に示すように、筒状弾性体４１の内径が硬球体３の直径よりも大きくなっており、かつ、上側の硬質板４の上面と下側の硬質板５の上面の少なくとも一方に、中央部に硬球体３が嵌まり込む穴４２、４３（又は窪み）を形成し、この穴４２、４３に硬球体３を嵌まり込ませて、硬球体３を筒状弾性体４１の内部の中央に位置決めしている。
【００３３】
第３変形例に係るアンカー部材５０は、図７に示すように、筒状弾性体５１の内径が硬球体３の直径よりも大きくなっており、かつ、上側の硬質板４の下面と下側の硬質板５の上面の少なくとも一方に、硬球体３を筒状弾性体２の内部の中央に位置決めするシート状位置決め部材５２、５３を貼り付けたものである。シート状位置決め部材５２、５３は、例えば、弾性材料からなり、硬球体３をめり込ませて位置決めするものや、中央部に硬球体３が嵌まり込む窪みや穴を備えたものを例示することができる。なお、シート状位置決め部材５２、５３は、硬球体３を筒状弾性体５１の内部の中央に位置決めすることができればよいので、上下の硬質板４、５の中央部にのみ貼り付けてもよい。
【００３４】
【発明の効果】
本発明に係るアンカー部材は、上下の硬質板が筒状弾性体を取り付けた中央部を挟んだ両側にそれぞれボルト締結部を備えており、片側の第１ボルト締結部が両側のボルト締結部を結ぶ直線に沿ってボルトを装着・離脱可能なボルト装着用の切欠きを有し、かつ、反対側の第２ボルト締結部が前記直線に略直交する方向に沿ってボルトを装着・離脱可能なボルト装着用の切欠きを有しているので、構造物の上部構造と下部構造に所定のボルトピッチでボルトが配設されている場合に、第１ボルト締結部の切欠きに沿って一方のボルトを装着し、その後に第２ボルト締結部の切欠きに沿って他方のボルトを装着することができる。これにより、施工が容易になり、また、竣工後の取り外しや取り付けが簡単に行える。
【００３５】
また、本発明に係るアンカー部材は、第２ボルト締結部の切欠きを、第１ボルト締結部の所定のボルト締結位置を中心とし、所定のボルトピッチを半径とする円弧に添って形成したので、ボルトの装着が容易に行える。
【図面の簡単な説明】
【図１】本発明の一実施形態に係るアンカー部材の縦断面図。
【図２】本発明の一実施形態に係るアンカー部材の平面図。
【図３】本発明の一実施形態に係るアンカー部材を施工工程を示す平面図。
【図４】本発明の一実施形態に係るアンカー部材の地震時の状態を示す縦断面図。
【図５】（ａ）はアンカー部材の硬球体を筒状弾性体の内部の中央に位置決めする位置決め手段の第１変形例を示す縦断面図であり、（ｂ）はそのプレート状の弾性部材を示す平面図である。
【図６】アンカー部材の硬球体を筒状弾性体の内部の中央に位置決めする位置決め手段の第２変形例を示す縦断面図。
【図７】アンカー部材の硬球体を筒状弾性体の内部の中央に位置決めする位置決め手段の第３変形例を示す縦断面図。
【図８】住宅土台を基礎に固定する構造を示す図。
【図９】基礎パッキン材を示す図。
【図１０】本発明者が提案するアンカー部材の縦断面図。
【図１１】本発明者が提案するアンカー部材の平面図。
【図１２】本発明者が提案するアンカー部材の地震時の状態を示す縦断面図。
【符号の説明】
１　アンカー部材
２　筒状弾性体
３　硬球体
４、５　硬質板
６　基礎コンクリート
７　上部構造の土台
１１　被覆材
１２、１３　ボルト
１４、１５　ボルト締結部
１６、１７　切欠き
１８　穴
１９　栓部材
２０、２１　ナット
Ｌ　　両側のボルト締結部を結ぶ直線
Ｐ　　ボルトピッチ
【図１】
2004100300.tif 000003
【図２】
2004100300.tif 000004
【図３】
2004100300.tif 000005
【図４】
2004100300.tif 000006
【図５】
2004100300.tif 000007
【図６】
2004100300.tif 000008
【図７】
2004100300.tif 000009
【図８】
2004100300.tif 000010
【図９】
2004100300.tif 000011
【図１０】
2004100300.tif 000012
【図１１】
2004100300.tif 000013
【図１２】
2004100300.tif 000014